(57)【要約】  【課題】  加速度値を取得することにより、御守の運動を把握する御守システム及び御守プログラムを提供する。  【解決手段】  御守システム１０であって、祈祷の対象となる祈祷対象部３０と、祈祷対象部３０の加速度値を取得する加速度取得部１１０と、加速度値に基づいて祈祷対象部３０の運動を検知する演算部１１４と、を備える。祈祷対象部３０と加速度取得部１１０とが一体となっていてもよい。運動に基づいて、所持者に情報を報知する報知部１０４をさらに備えてもよい。【選択図】  図２
2020192276.tif 000002
【特許請求の範囲】
【請求項１】
所持者によって所持され、祈祷の対象となる祈祷対象部と、
前記祈祷対象部の加速度値を取得する加速度取得部と、
前記加速度値に基づいて前記祈祷対象部の運動を検知する演算部と、
を備える御守システム。
【請求項２】
前記祈祷対象部と前記加速度取得部とが一体となっている、請求項１に記載の御守システム。
【請求項３】
前記所持者に情報を報知する報知部をさらに備える、請求項１又は２に記載の御守システム。
【請求項４】
前記報知部は、前記祈祷の内容に基づいて、前記情報として前記祈祷の内容に対応する情報を報知する、請求項３に記載の御守システム。
【請求項５】
前記報知部は、前記運動に基づいて報知する、請求項３に記載の御守システム。
【請求項６】
時間を計測する計時部をさらに備え、
前記報知部は、前記計時部が前記祈祷の時から一定期間を経過したと判定すると、前記所持者に対して祈祷の効果がなくなったことを報知する、請求項３から５のいずれかに記載の御守システム。
【請求項７】
前記加速度取得部は、ノイズ振動によって生じた加速度成分を低減して前記加速度値を取得する、請求項１から６のいずれかに記載の御守システム。
【請求項８】
コンピュータに、
祈祷の対象となる祈祷対象部の加速度値を取得させ、
前記加速度値に基づいて前記祈祷対象部の運動を検知させる、
御守プログラム。
【発明の詳細な説明】
【技術分野】
【０００１】
本発明は、加速度値を取得することによって、御守の運動を把握する御守システム及び御守プログラムに関する。
【背景技術】
【０００２】
従来、通信技術を利用した御守又は御守システムが知られている。例えば、特許文献１には、内蔵される情報処理装置同士の交信により事前に危険を察知できる電子御守が開示されている。また、特許文献２には、携帯端末を介して登録された神社に通信祈願できる通信御守システムが開示されている。
【先行技術文献】
【特許文献】
【０００３】
【特許文献１】特開２００１−２９９５６３号公報
【特許文献２】特開２０１２−２４２８９６号公報
【発明の概要】
【発明が解決しようとする課題】
【０００４】
従来の通信技術を利用した御守又は御守システムでは、御守の所持者の挙動等による御守の運動を把握できなかった。
【０００５】
本発明は、加速度値を取得することにより、御守の運動を把握する御守システム及び御守プログラムを提供することを目的の一つとする。
【課題を解決するための手段】
【０００６】
本開示は上記課題を解決するために以下の技術的手段を採用する。
【０００７】
本発明の一態様の御守システムは、所持者によって所持され、祈祷の対象となる祈祷対象部と、祈祷対象部の加速度値を取得する加速度取得部と、加速度値に基づいて祈祷対象部の運動を検知する演算部と、を備える。
【０００８】
この構成により、御守としての実体を備えつつ、御守の所持者の挙動等によって生じる加速度値を取得し、加速度値に基づいて祈祷対象部の運動を検知して、御守の運動を把握できる。御守の運動は、御守の所持者の挙動として把握することもできる。
【０００９】
上記の御守システムにおいて、祈祷対象部と加速度取得部とが一体となっていてもよい。
【００１０】
この構成により、祈祷対象部と加速度取得部とが一体となって、より正確に祈祷対象部に生じる加速度値を取得できる。
【００１１】
上記の御守システムは、所持者に情報を報知する報知部をさらに備えていてもよい。
【００１２】
この構成により、御守システムが取得した情報を所持者に知らせることができる。
【００１３】
上記の御守システムにおいて、報知部は、祈祷の内容に基づいて、情報として祈祷の内容に対応する情報を報知してもよい。
【００１４】
この構成により、御守の所持者が祈祷の内容にそぐわない行動をしたときに、所持者に当該行動を控えるよう報知できる。例えば、安産祈願の御守について、激しい運動が検知された場合には、そのような行動を控えるように報知することができる。
【００１５】
上記の御守システムにおいて、報知部は、運動に基づいて報知してもよい。
【００１６】
この構成により、例えば、御守を地面に落下させる不敬を働いたときに、所持者に当該行動を控えるよう報知できる。
【００１７】
上記の御守システムは、時間を計測する計時部をさらに備え、報知部は、計時部が祈祷の時から一定期間を経過したと判定すると、所持者に対して祈祷の効果がなくなったことを報知してもよい。
【００１８】
この構成により、御守の所持者に対して、期間の経過により御守の祈祷の効果がなくなったことを報知し、新しい御守の受け取りを促すことができる。
【００１９】
上記の御守システムにおいて、加速度取得部は、ノイズ振動によって生じた加速度成分を低減して加速度値を取得してもよい。
【００２０】
この構成により、御守の所持者の挙動による不要な振動に対応する加速度値をノイズとして排除し、より正確に御守の運動によって生じる加速度値を取得できる。
【００２１】
本発明の一態様の御守プログラムは、コンピュータに、祈祷の対象となる祈祷対象部の加速度値を取得させ、加速度値に基づいて祈祷対象部の運動を検知させる。
【００２２】
この構成により、御守としての実体を備えつつ、御守の所持者の挙動等によって生じる加速度値を取得し、加速度値に基づいて祈祷対象部の運動を検知して、御守の運動を把握できる。御守の運動は、御守の所持者の挙動として把握することもできる。
【図面の簡単な説明】
【００２３】
【図１】（ａ）は、本発明の実施の形態の御守システムの概略正面図であり、（ｂ）は、本発明の実施の形態の御守システムの概略背面図である。
【図２】本発明の実施の形態の電子機器の構成を示す図である。
【図３】本発明の実施の形態の御守システムの表示パネルに表示されていた御守のグラフィックの一部を非表示にした例を示す図である。
【図４】（ａ）本発明の実施の形態の御守システムの表示パネルに、７セグメント表示される数字が表示された例を示す図であり、（ｂ）本発明の実施の形態の御守システムの表示パネルに、９セグメント表示される数字が表示された例を示す図であり、（ｃ）本発明の実施の形態の御守システムの表示パネルに、９セグメント表示される数字の一部が欠けて表示された例を示す図である。
【発明を実施するための形態】
【００２４】
以下、図面を参照して本発明の実施の形態を説明する。なお、以下に説明する実施の形態は、本発明を実施する場合の一例を示すものであって、本発明を以下に説明する具体的構成に限定するものではない。本発明の実施にあたっては、実施の形態に応じた具体的構成が適宜採用されてもよい。
【００２５】
図１（ａ）は、本発明の実施の形態の御守システム１０の概略正面図であり、図１（ｂ）は、本発明の実施の形態の御守システム１０の概略背面図である。御守システム１０は、守り袋２０と、守り札３０と、電子機器１００とを備える。
【００２６】
守り袋２０は、守り札３０を内部に備える。守り札３０は、社寺で祈祷されており、神仏の霊がこもり人を加護する効果があると考えられている。守り札３０は、祈祷の対象となるものであり、以下では「祈祷対象部３０」ともいう。また、守り札３０を収容した守り袋２０を、以下では「御守５０」ともいう。御守５０の所持者は、守り札３０を守り袋２０に収めた状態で御守５０を所持する。御守５０の種類（即ち祈祷の内容）は、例えば、健康祈願、無病息災、金運上昇、商売繁盛、恋愛成就、縁結び、安産祈願、合格祈願、家内安全、交通安全、厄除け、その他いかなる種類でもよい。
【００２７】
守り袋２０には、さらに電子機器１００が収容される。電子機器１００は、入力部１０２と、報知部１０４とを備える。
【００２８】
入力部１０２は、御守システム１０に情報を入力する手段である。入力部１０２は、所持者の入力操作を受け付けるボタン等を備える。入力された情報は、後述する記憶部１０６に記憶される。
【００２９】
報知部１０４は、情報を所持者に報知する手段である。御守システム１０は、表示パネルとしての報知部１０４Ａと、スピーカとしての報知部１０４Ｂとを備える。報知部１０４Ａは、表示パネルに数値、文字、画像を表示することで情報を報知する。御守５０の表示パネル１０４Ａには、図１（ａ）に示すように「御守」の文字と「花」の柄が表示されているところ、後述するように御守５０の祈祷の効果がなくなったときに、表示パネル１０４Ａの下半分を非表示にして「守」という文字と「花」の柄とを表示しないことによって祈祷の効果がなくなったことを報知できる。報知部１０４Ｂは、スピーカから電子音声、アラーム音等を出力することで情報を報知する。なお、報知部１０４は、臭いで情報を報知する臭気発生装置、形状の変化で情報を報知するアクチュエータ等でもよい。
【００３０】
電子機器１００は、その一部を守り袋２０の外部に露出させた状態で守り袋２０に収容される。具体的には、電子機器１００の入力部１０２は、電子機器１００が守り袋２０に収容された状態で所持者が入力操作を行うことができるように、外部に露出している。また、電子機器１００の報知部１０４Ａは、電子機器１００が守り袋２０に収容された状態で所持者が表示パネルを視認可能なように、外部に露出している。また、電子機器１００の報知部１０４Ｂは、電子機器１００が守り袋２０に収容された状態で所持者がスピーカからの音声を聞き取れるように、外部に露出している。
【００３１】
なお、入力部１０２に対する入力操作、表示パネルの視認、スピーカからの音の聞き取りが可能であれば、電子機器１００は、守り袋２０の外部に露出されない状態で守り袋２０に収容されてもよい。このように、電子機器１００が守り袋２０の外部に露出されない構成の場合、御守５０は、電子機器１００が守り袋２０の外部に露出される構成と比較して一般的な御守の外観を呈することができる。
【００３２】
図２は、本発明の実施の形態の電子機器１００の構成を示す図である。電子機器１００は、上述した入力部１０２と報知部１０４とに加えて、記憶部１０６と、制御部１０８とを備える。
【００３３】
記憶部１０６は、情報を記憶できるメモリである。メモリは、例えば、揮発性メモリ（例えば、ＲＡＭ（Random Access Memory））、不揮発性メモリ（例えば、ＲＯＭ（Read Only Memory））等である。
【００３４】
記憶部１０６は、制御部１０８が実行するプログラムを記憶する。また、記憶部１０６は、例えば、入力部１０２を介して入力される祈祷の内容、日時、独身か否か、身長、体重、性別、体脂肪率等の情報を記憶する。記憶部１０６は、さらに、後述する加速度取得部１１０、計時部１１２が取得した情報を記憶する。
【００３５】
制御部１０８は、加速度取得部１１０と、計時部１１２と、演算部１１４と、通信部１１６とに接続され、各部を制御する手段である。制御部１０８は、中央処理装置（Central Processing Unit：ＣＰＵ）を備える。制御部１０８は、記憶部１０６に記憶された本実施の形態の御守プログラムを実行することにより、各部の機能を実現する。
【００３６】
加速度取得部１１０は、祈祷対象部３０の運動によって生じる加速度値を取得する手段である。加速度取得部１１０は、３軸加速度センサ（３Ｄセンサ）を備える。加速度取得部１１０は、祈祷対象部３０に対して固定されており、祈祷対象部３０と一体である。なお、加速度センサは、１軸加速度センサ（１Ｄセンサ）でもよいし、２軸加速度センサ（２Ｄセンサ）でもよい。また、加速度センサは、高Ｇ加速度センサでもよいし、低Ｇ加速度センサでもよい。低Ｇ加速度センサは、ＭＥＭＳ（Micro Electro Mechanical Systems）技術を用いた加速度センサであって、例えば、ピエゾ抵抗型の加速度センサ、静電容量型の加速度センサ等でもよい。
【００３７】
加速度取得部１１０は、ノイズ振動によって生じた加速度成分を低減する。ノイズ振動とは、御守５０の所持者がバック、カバン等に当該御守５０を取り付けることに起因して、所持者の挙動（運動）自体に由来する加速度値とは異なって祈祷対象部３０に加速度値を生じさせる振動をいう。
【００３８】
例えば、御守５０の所持者が当該御守５０をバッグにつけて歩く等するときに、祈祷対象部３０が振動するため加速度値が生じることがある。そこで、祈祷対象部３０の加速度値から、ローパスフィルタによって経時変化する加速度値の高周波成分を除くことによって、加速度値に対するノイズを低減する。あるいは、所持者によるノイズ振動によって生じる加速度値のノイズパターンを記憶しておき、所持者の挙動（運動）自体に由来して経時変化する加速度値からこの加速度値のノイズパターンを除去することによって、加速度値に対するノイズを低減してもよい。なお、加速度取得部１１０は、御守５０の所持者の挙動によって生じるノイズをキャンセルしなくてもよい。
【００３９】
計時部１１２は、時間を計測する手段である。計時部１１２は、例えば、時計、タイマである。計時部１１２は、入力部１０２を介して入力された祈祷日時からの経過日時を計測する。計時部１１２が、例えば、祈祷の時から一定の期間を経過したと判定すると、報知部１０４は御守５０の所持者に対して祈祷の効果がなくなったことを報知する。祈祷の時とは、例えば、祈祷がされた時に押す特定のスイッチとしての入力部１０２に入力があったとき、守り袋２０に祈祷対象部３０を挿入したことを検出する手段を設け、守り袋２０に祈祷対象部３０が挿入されたことが検出されたとき、後述する通信部１１６が神社に備えられたＮＦＣリーダ・ライタと通信したとき等がある。
【００４０】
演算部１１４は、加速度取得部１１０が取得した加速度値に基づいて、祈祷対象部３０の運動を検知する手段である。具体的には、演算部１１４は、加速度値の経時変化に基づいて、所持者の歩行、走行、ジャンプ等、あるいは祈祷対象部３０の落下等の各種のあらかじめ定義された活動の種類を検知する。加速度値から活動の種類を検知する手法としては、公知の手法を採用できる（例えば、特開２００７−２４４４９５号公報）。
【００４１】
演算部１１４は、さらに、身長、体重、性別、歩幅、体脂肪率等の入力部１０２に入力された情報を参照して、検知された活動について、消費カロリー、歩数、走行又は歩行距離、走行又は歩行時間、脂肪燃焼量等の活動量を算出する。このようにして、演算部１１４は、活動の種類及び活動量を、所持者が所持する祈祷対象部３０の運動として検知する。なお、演算部１１４は、活動の種類のみを、所持者が所持する祈祷対象部３０の運動として検知するものであってもよい。
【００４２】
演算部１１４が祈祷対象部３０の運動を検知すると、報知部１０４は、当該運動と入力部１０２に入力された祈祷の内容（祈願内容）とに基づいて、当該祈願内容に対応する情報を報知する。祈願内容は、例えば、学業成就、安産、縁結び等である。演算部１１４は、祈願内容に対応する情報として、祈願内容の実現に有利な行動を促す情報や、祈願内容の実現に不利な行動を控えるよう注意喚起する情報を報知する。
【００４３】
演算部１１４は、比較的短い期間（例えば、１０秒）の運動に基づいて情報を報知してもよいし、比較的長い期間（例えば、１日）の運動に基づいて情報を報知してもよい。演算部１１４は、長い期間の運動に基づいて情報を報知する場合に、当該期間に検知された運動から行動パターンを推定して、推定された行動パターンに応じて情報を報知してよい。報知部１０４は、運動が検知されたときに計時部１１２によって計時された時刻又は時間帯を参照して情報を報知してもよい。
【００４４】
通信部１１６は、御守５０が外部の装置と通信する手段である。通信部１１６は、御守５０と一体であり、外部の装置と通信することによって、外部の装置から情報を取得し、外部の装置に情報を送信する。通信方法は、無線通信による方法であって、例えば、携帯電話網による方法、Ｗｉ−Ｆｉ（登録商標）などの無線ＬＡＮによる方法、Ｂｌｕｅｔｏｏｔｈ（登録商標）やＮＦＣ（Near Field Communication）などの近距離無線通信による方法等である。なお、通信方法は、例えば、有線通信による方法、記録媒体（例えば、フラッシュメモリ等）を介する方法等でもよい。
【００４５】
なお、電子機器１００の加速度取得部１１０、演算部１１４以外の機能については、電子機器１００と通信可能な外部の装置に設けられ、当該外部の装置を含めて御守システム１０が構成されてよい。外部の装置は、例えば、スマートフォン、タブレット、外付けハードディスクドライブ、外部サーバ等であってよい。
【００４６】
（第１の実施の形態）
以下では、上述した御守システム１０の構成によって実現される第１の実施の形態の御守システム１０を説明する。第１の実施の形態の御守システム１０は、祈祷対象部３０の加速度値に基づいて祈祷対象部３０の運動を検知し、祈祷の内容及び運動に基づいて、祈祷の内容に対応する情報を報知する。
【００４７】
例えば、受験生が合格祈願の御守５０を所持する場合において、御守システム１０が勉強すべき時間帯に運動を検知したときは、御守システム１０は、受験生に対して勉強に励むべく報知する。具体的には、御守システム１０に予め勉強すべき時間帯が入力及び記憶され、当該時間帯に祈祷対象部３０の運動が検知されたときは、御守システム１０は、受験生が勉強していないと判定し、受験生に対して勉強に励むべく報知する。
【００４８】
また、御守システム１０は、御守５０を所持する受験生に対して、過去の合格者との活動パターンの類似度を報知してもよい。例えば、合格祈願の御守５０は、所持者が合格した時にはお礼参りをすることが推奨されており、お礼参りの際には神社に備えらえたＮＦＣリーダ・ライタと通信することによって、所持者が合格したという情報及び所持者（合格者）の活動パターンの情報が神社に備えられた外部の装置に格納される。そこで、これらの情報を、合格祈願の御守システム１０に予め過去の合格者の活動パターンの情報として格納しておき、合格者の活動パターンと所持者の活動パターンとを比較することによって、合格者の活動パターンと所持者の活動パターンとの類似度を報知してもよい。
【００４９】
あるいは、合格祈願の御守システム１０とＮＦＣリーダ・ライタとが通信することによって、加速度値のデータ又は加速度値のデータから算出される所持者の活動パターンの情報が外部の装置に格納され、この外部の装置に格納された所持者の活動パターンと同じく外部の装置に格納されている合格者の活動パターンとを比較することによって、合格者の活動パターンと所持者の活動パターンとの類似度を報知してもよい。
【００５０】
また、妊婦が安産祈願の御守５０を所持する場合において、御守システム１０が所定の運動を検知したときは、御守システム１０は、妊婦に対して安静にすべく報知する。具体的には、御守システム１０に予め妊婦であるという情報が入力及び記憶され、歩行距離が閾値を超え祈祷対象部３０の運動が検知されたときは、御守システム１０は、妊婦が過度に動いていると判定し、妊婦に対して安静にすべく報知する。また、激しい活動が検知された場合にも、御守システム１０は、妊婦に対して安静にすべく報知する。あるいは、妊婦に適度な動きが必要なときは、御守システム１０は、歩行距離が閾値を超え祈祷対象部３０の運動が検知されるよう、妊婦に対して適度な動きを促すべく報知する。
【００５１】
また、独身の男性と女性とがそれぞれ縁結祈願の御守５０を所持する場合において、御守システム１０が特定の時間帯に運動を検知したときは、御守システム１０は、当該独身の男性と女性とが同じような生活リズムであるためマッチングする可能性が高いと判定して、両者に相手方の存在を報知する。
【００５２】
例えば、祈祷を受けるとき又は御守システム１０の利用を開始するときに、縁結祈願の御守５０の所持者の情報として性別、独身か否か、生活地域等の情報を入力し、通信部１１６を介して、当該情報を外部の装置（サーバ等）にデータベースとして格納する。所持者が通信部１１６を介して外部の装置と通信する度に、加速度値のデータ又は加速度値のデータから所持者の活動（生活リズム）の情報を算出し、データベースを更新する。当該外部の装置において、予め入力された情報、生活リズムの類似度等に応じて、複数の所持者間のマッチング度合いを算出し、マッチング度合いが高い所持者のペアが選択される。選択されたペアの所持者の御守システム１０に、ペアの相手方の生活地域の情報を提供し、あるいは、ペア同士が近づいたときにアラートをすること等によって、ペアの相手方の存在を報知する。
【００５３】
あるいは、御守システム１０が祈祷対象部３０の落下運動を検知し、所持者が御守５０を地面に落下させる等の不敬を働いたと判定されるとき、御守システム１０は、所持者に対して当該行為を戒めるべく報知する。さらに、御守システム１０はその機能を停止させ、所持者は再度神社へ行き特定のＮＦＣリーダ・ライタと通信することによって、その機能を復帰するよう設定されてもよい。
【００５４】
このように、第１の実施の形態の御守システム１０は、御守５０としての実体を備えつつ、御守の所持者の挙動等による加速度値を取得し、加速度値に基づいて祈祷対象部３０の運動を検知して、検知した運動に応じた報知を行う。
【００５５】
また、祈祷対象部３０と加速度取得部１１０とが一体となり、あるいは、ノイズ振動によって生じる加速度成分を排除することによって、より正確に御守５０の運動によって生じる加速度値を取得できる。
【００５６】
また、例えば、御守５０の所持者が御守５０を所持した目的にそぐわない行動をした場合や、御守５０を地面に落下させる不敬を働いた場合に、所持者に当該行動を控えるよう報知できる。
【００５７】
（第２の実施の形態）
第２の実施の形態の御守システム１０は、第１の実施の形態の御守システム１０とは異なり、御守システム１０が祈祷の時から一定期間を経過したと判定すると、祈祷の効果がなくなったことを報知する。御守システム１０は、例えば、祈祷時から１年を経過したときは、祈祷の効果がなくなったと判定して、表示、音、臭い、形状の変化等によって所持者に対して祈祷の効果がなくなったことを報知し、所持者が祈祷の効果がある御守５０を新たに取得するよう動機づける。
【００５８】
表示で祈祷の効果がなくなったことを報知する方法としては、例えば、表示パネルに表示されていた御守のグラフィックの一部を非表示にする方法、フルドットディスプレイで砂嵐を表示する、７セグメント表示を９セグメント表示に変更し一部が欠けた表示にする方法、４や９のような不吉な数字を表示する方法等がある。
【００５９】
図３は、本発明の実施の形態の御守システムの表示パネル１０４Ａに表示されていた御守のグラフィックの一部を非表示にした例を示す図である。祈祷の効果がなくなったときは、例えば、表示パネル１０４Ａの下半分を非表示にして、図１（ａ）で表示されていた「守」という文字と「花」の柄とを表示しないことによって、祈祷の効果がなくなったことを報知する。
【００６０】
図４は、本発明の実施の形態の御守システムの表示パネル１０４Ａに、（ａ）７セグメント表示される数字が表示された例を示す図であり、（ｂ）９セグメント表示される数字が表示された例を示す図であり、（ｃ）９セグメント表示される数字の一部が欠けて表示された例を示す図である。御守システム１０が、例えば、合格祈願の御守５０を所持する受験生から、勉強すべき時間帯に「１２３」ｋｃａｌのエネルギー消費を検知し、エネルギー消費量の表示と併せて受験生に対して勉強に励むべく報知するとする。
【００６１】
このとき、祈祷の効果がなくなる前であれば、図４（ａ）に示すように７セグメント表示の「１２３」という数字の表示しつつ受験生に対して勉強に励むべく報知する。一方、祈祷の効果がなくなった後であれば、図４（ｂ）に示すように９セグメント表示の「１２３」という数字の表示に変更し、図４（ｃ）に示すように「１２３」という数字の一部が欠けた表示をしつつ受験生に対して勉強に励むべく報知することによって、祈祷の効果がなくなったことを報知する。
【００６２】
音で祈祷の効果がなくなったことを報知する方法としては、例えば、神社を彷彿させる鈴の音を鳴らす方法、柏手の音を鳴らす方法等がある。
【００６３】
臭いで祈祷の効果がなくなったことを報知する方法としては、例えば、神社を彷彿させる煙のにおいで報知する方法等がある。
【００６４】
形状で祈祷の効果がなくなったことを報知する方法としては、例えば、報知部１０４のアクチュエータ機能によって、御守５０の厚みを半分にする方法、御守５０の紐を切断する方法、速乾性インクの袋が破裂し表面にインクが滲む方法等がある。
【００６５】
このように、第２の実施の形態の御守システム１０は、御守５０の所持者に対して御守５０の祈祷の効果がなくなったことを報知し、御守５０としての実質を維持できる。
【００６６】
（変形例１）
上述した実施の形態の御守システム１０では、報知部１０４、計時部１１２等を備えていたが、御守システム１０は、必ずしも報知部１０４、計時部１１２等を備える必要はなく、祈祷対象部３０、加速度取得部１１０、演算部１１４を少なくとも備えていればよい。加速度取得部１１０によって取得された加速度値は、通信部１１６によって外部の装置に送信されてもよい。これにより、御守５０は、所持者の挙動を把握しつつ、電子機器１００が守り袋２０の外部に露出される構成と比較して一般的な御守の外観を呈することができる。
【００６７】
（変形例２）
上述した実施の形態の御守システム１０では、守り札を祈祷対象部３０としたが、御守システム１０は、加速度取得部１１０自体を祈祷対象部３０として、専ら祈祷対象となる守り札を有しないものであってもよい。
【００６８】
（変形例３）
上述した第２の実施形態では、御守システム１０が、一定期間経過後に祈祷の効果がなくなってから報知したが、一定期間経過前の祈祷の効果がなくなる前に報知してもよい。
【００６９】
（変形例４）
御守システム１０は、上述した第１の実施形態における報知機能と第２の実施形態の報知機能とを同時に備えていてもよい。
【符号の説明】
【００７０】
１０・・・御守システム
２０・・・守り袋
３０・・・守り札
５０・・・御守
１０２・・・入力部
１０４・・・報知部
１０６・・・記憶部
１０８・・・制御部
１１０・・・加速度取得部
１１２・・・計時部
１１４・・・演算部
１１６・・・通信部
【図１】
2020192276.tif 000003
【図２】
2020192276.tif 000004
【図３】
2020192276.tif 000005
【図４】
2020192276.tif 000006